【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  骨および／または組織構造、例えば顎骨用のインプラント（６）に関連して使用し、前記インプラントの一体化の期間の全部または一部の間中、前記構造への生物活性物質の送出しを確実にする方法において、インプラントが内部空間（７）と、適切な場合には前記内部空間から、構造の方を向いた前記インプラントの外側（６ａ）または外側部分に通じる１つまたはそれ以上のチャンネルおよび／または凹所（２２、２３、２４）とを持つように設計されること、前記生物活性物質を含む１つまたはそれ以上の本体がインプラントの周囲の骨および／または組織構造と協働して、前記生物活性物質を前記周囲構造に放出することができるように設計されること、および前記本体（１）が前記空間に適用され、かつ適切な場合には１つまたはそれ以上の前記チャンネルおよび／または凹所にも適用され、それにより前記周囲構造に露出されて前記生物活性物質が前記期間中に後者に送り出され、前記本体が前記空間に適用される前および／または適用された後で前記生物活性物質が適用されることを特徴とする方法。
【請求項２】  骨および／または組織構造（２）、例えば顎骨用のインプラント（６）に関連して使用し、前記構造における前記インプラントの一体化の期間の全部または一部の間中、前記インプラントの周囲の構造への生物活性物質の送出し（３、４、５）を確実にするための構成において、前記インプラントが１つまたはそれ以上の内部空間（２９、３０）と、適切な場合には前記内部空間から前記インプラントの外側に通じる１つまたはそれ以上のチャンネルおよび／または凹所とを持つように設計されること、前記生物活性物質を含む１つまたはそれ以上の本体が周囲の骨および／または組織構造（２）と協働して（３、４、５）、前記生物活性物質を前記周囲構造に放出することができるように設計されること、および前記本体が前記協働および放出のためにそれらが露出される空間内の位置を割り当てられることを特徴とする構成。
【請求項３】  各本体（１）が、生物活性物質で飽和状態にされるか処理された海綿体または布、または生物活性物質を含むゲルの形を取ること、および前記海綿体、布、またはゲルが、関係空間に明確に適用することを可能にしながら同時にそれぞれの空間の内壁との摩擦協力または接着協力によって定位置に保持されることを確実にする軟度を持つことを特徴とする、請求項２に記載の構成。
【請求項４】  前記インプラントが臨床的に効果的な幾何学的特性を持ち、かつ身体組織（２）と直接接触する外面を持つ円筒または円錐立体の形状を持つことを特徴とする、請求項２または３に記載の構成。
【請求項５】  前記インプラント要素が吸収性コラーゲン海綿から成ることを特徴とする、請求項２、３、または４に記載の構成。
【請求項６】  前記生物活性物質がＴＧＦ−β上科に属する物質であることを特徴とする、請求項２ないし５のいずれかに記載の構成。
【請求項７】  前記インプラントまたはインプラント要素がねじ付き外面および円錐形先端を持つ本体部を有し、前記先端が前記本体のための軸方向の穴または凹所を持つ開口部を有し、前記穴または凹所が前記先端部の端面方向に開口し、前記本体から前記穴または開口を通して前記生物活性物質を直接放出することを可能にするために、前記軸方向の穴と連通し、前記インプラント本体部内を半径方向に、長手方向のインプラント軸に対し直角に伸長する１つまたはそれ以上の貫通穴を含むことを特徴とする、請求項２ないし６のいずれかに記載の構成。
【請求項８】  前記インプラント本体部の長さに沿って前記インプラントまたはインプラント要素の壁内の適切な数のチャンネルまたは凹所を通って前記成長因子を放出することを可能にするために、前記軸方向の穴が先端部から前記インプラント本体の主要部内に伸長することを特徴とする、請求項２ないし７のいずれかに記載の構成。
【請求項９】  前記本体の設計および構造が予め定められた放出機能に基づいて選択されることを特徴とする、請求項２ないし８のいずれかに記載の構成。
【請求項１０】  当該インプラント状況で制御されたまたは最適な放出機能を可能にする目的のために、第１本体は前記第１本体が特定の物質の第１露出度で配備される第１位置を取り、第２本体は前記第２本体が前記第１露出度より小さい同一物質、または別の物質の第２露出度を持つ第２位置を取るか、もしくはその逆に第２本体が第１露出度より大きい第２露出度を持つ第２位置を取ることを特徴とする、請求項２ないし９のいずれかに記載の構成。
【請求項１１】  各本体は、前記協働および放出機能において、それが生物活性物質の放出度を変化させ、例えば期間の開始時に期間の最後より大きい放出度を達成するか、もしくはその逆に期間の開始時に期間の最後より小さい放出度を達成するように配置されることを特徴とする、請求項２ないし１０のいずれかに記載の構成。
【請求項１２】  前記空間および付随するチャンネルまたは凹所の設計または長さが、予め定められるか期待される放出機能に基づいて選択されることを特徴とする、請求項２ないし１１のいずれかに記載の構成。
【請求項１３】  前記チャンネルまたは凹所は、様々な断面積および／または長さを持つように構成することができ、それは、生物活性物質について制御されるかまたは最適な放出機能を可能にする目的のために、同一本体または異なる本体の様々な部分が放出機能における異なる露出度にさらされることを意味することを特徴とする、請求項２ないし１２のいずれかに記載の構成。
【請求項１４】  周囲の骨および／または組織構造の異なる部分に作用するために、２つの本体が相互に距離をおいて配置されることを特徴とする、請求項２ないし１３のいずれかに記載の構成。
【請求項１５】  各インプラントおよび付随する本体が、空間および凹所および／またはチャンネルに関して変化させることのできる多数のインプラントから、かつ／または放出機能および物質に関して様々な特性を持つ多数の様々な本体から形成または選択することができることを特徴とする、請求項２ないし１４のいずれかに記載の構成。
【請求項１６】  各本体をそれぞれの空間に導入することができ、導入後に、例えば注射針またはハンド・ポンプなどによって生物活性物質で飽和状態にすることができることを特徴とする、請求項２ないし１５のいずれかに記載の構成。
【請求項１７】  骨および／または組織構造、例えば顎骨に嵌合させることができるインプラントの使用であって、前記構造における前記インプラントの一体化の期間の全部または一部の間中、前記インプラントの周囲の前記構造への生物活性物質の送出しを確実にする使用において、前記インプラントが、前記生物活性物質を含む１つまたはそれ以上の本体を１つまたはそれ以上の内部空間に支持し、前記本体を前記周囲構造に露出させ、かつ前記構造と協働して後者に前記生物活性物質を放出するために使用されることを特徴とするインプラントの使用。
【手続補正２】
【補正対象書類名】明細書
【補正対象項目名】００２０
【補正方法】変更
【補正の内容】
【００２０】
１つの実施形態では、インプラント要素の壁にある適切な数の穴、チャンネルおよび／または凹所を通してインプラント本体の長さに沿って成長因子の放出を可能にするために、前記軸方向の穴はインプラント本体の円錐部分から主要部分の中に伸長することができる。本体／支持体の設計および構造は、予め定められるか期待される放出機能に基づいて選択される。当該生物活性物質の制御されたまたは最適な放出機能を可能にする目的のために、第１本体は第１本体が第１露出度で配備される第１位置を取り、第２本体は第２本体が第１露出度より小さい第２露出度を持つ第２位置を取るか、もしくはその逆に第２本体が第１露出度より大きい第２露出度を持つ第２位置を取る。